(57)【要約】【課題】会議通話中の通話路上の音声伝達の方向を切り換えるための分配回路を用いずに会議通話中に任意の会議参加者との１対１の通話を可能にすることができる交換機システムを提供する。【解決手段】交換機１が、会議通話中の任意の２つの電話機間に１対１の通話のための通話路を形成するように制御する制御手段４１を備え、会議通話中に１対１の通話を行う場合に、会議通話中の通話路上の音声伝達の方向には何ら変更を加えずに、会議通話中の音声は電話機のスピーカから出力し会議通話へのマイクロフォンからの入力音声は遮断し１対１の通話の音声は電話機のハンドセットにより入出力する。【選択図】図１
2006180009.tif 000002
【特許請求の範囲】
【請求項１】
交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のスピーカから出力し会議通話へのマイクロフォンからの入力音声は遮断し１対１の通話の音声は電話機のハンドセットにより入出力するように構成した交換機システム。
【請求項２】
交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のハンドセットの受話口から出力し会議通話へのハンドセットの送話口からの入力音声は遮断し１対１の通話の音声は電話機のスピーカとマイクロフォンにより入出力するように構成した交換機システム。
【請求項３】
会議通話中に１対１の通話を行う場合に用いられる複数のチャネルを持つ電話機であって、この電話機のスピーカとマイクロフォンによる音声の入出力を行う第１の音声処理部とハンドセットによる音声の入出力を行う第２の音声処理部と前記２つの音声処理部を制御する電話機制御部とを備え、前記交換機からの指示により前記電話機制御部が前記第１の音声処理部の入力を遮断するように構成した請求項１記載の交換機システム。
【請求項４】
会議通話中に１対１の通話を行う場合に用いられる複数のチャネルを持つ電話機であって、この電話機のスピーカとマイクロフォンによる音声の入出力を行う第１の音声処理部とハンドセットによる音声の入出力を行う第２の音声処理部と前記２つの音声処理部を制御する電話機制御部とを備え、前記交換機からの指示により前記電話機制御部が前記第２の音声処理部の入力を遮断するように構成した請求項２記載の交換機システム。
【請求項５】
交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のスピーカから出力し会議通話へのマイクロフォンからの入力音声は遮断し１対１の通話の音声は電話機のハンドセットにより入出力するように構成した交換機システムの制御方法。
【請求項６】
交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のハンドセットの受話口から出力し会議通話へのハンドセットの送話口からの入力音声は遮断し１対１の通話の音声は電話機のスピーカとマイクロフォンにより入出力するように構成した交換機システムの制御方法。
【発明の詳細な説明】
【技術分野】
【０００１】
本発明は、会議通話が可能な交換機システムに関し、特に会議通話中に任意の会議参加者との１対１の通話を可能にした交換機システムに関する。
【背景技術】
【０００２】
会議参加者が各々別の場所にいるため電話による会議を行うときその会議に参加している他の会議参加者には聞かれずにある会議参加者とだけ個別に一寸した相談をしたい場合がある。この場合、会議から一旦抜けたのでは会議内容がわからなくなるため会議通話の内容はそのまま聞こえるようにかつ相談内容は漏れないようにしてある会議参加者と通話ができる必要がある。
【０００３】
従来、会議通話が可能な交換機システムにおいて、会議通話中に任意の会議参加者との１対１の通話を可能にする発明が特許文献１に開示されている。会議通話中の音声は任意の会議参加者との１対１の通話の中でもモニタ可能とするために会議に用いる通話路とは独立した通話路を用いることにより実現している。
【０００４】
図５に示す従来の交換機システムの構成図のように交換機システムの電話機５−６Ａ〜５−６Ｅが交換機５−１の会議回路５−３１の下で会議通話を行っている場合に、電話機５−６Ａを使用している会議参加者が電話機５−６Ｂを使用者と１対１の通話を行うときは、制御手段５−４１が通話路スイッチ５−３の会議回路５−３１の会議通話路とは独立した１対１の通話路を通話路スイッチ５−３により取得した後に、通話路上の音声伝達の方向を切り換えるための分配回路５−７が通話路スイッチ５−３や会議回路５−３１を制御するように構成していた。
【特許文献１】特開２００２−３３０２２５号公報
【発明の開示】
【発明が解決しようとする課題】
【０００５】
しかしながら上記従来の構成では、制御手段５−４１により１対１の音声通話路を確保した後で会議通話中の参加者に１対１の通話の音声が漏れないようにし会議通話中の音声は聞こえるようにするために通話路上の音声伝達の方向を切り換えるための分配回路５−７が必要であり、分配回路５−７を組み込むことで従来から動作していた通話路スイッチ５−３や会議回路５−３１の通話路制御の基本処理にも影響を与えることになりそれらの基本処理を複雑にしてしまうという問題があった。このため上記の分配回路５−７が不要な構成を実現するという課題があった。
【０００６】
本発明はこのような従来の課題を解決するものであり、会議通話中の通話路上の音声伝達の方向を切り換えるための分配回路を用いずに会議通話中に任意の会議参加者との１対１の通話を可能にすることができる交換機システムを提供することを目的とする。
【課題を解決するための手段】
【０００７】
上記目的を達成するために本発明の交換機システムは、交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のスピーカから出力し会議通話へのマイクロフォンからの入力音声は遮断し１対１の通話の音声は電話機のハンドセットにより入出力するように構成した、または会議通話中の音声は電話機のハンドセットの受話口から出力し会議通話へのハンドセットの送話口からの入力音声は遮断し１対１の通話の音声は電話機のスピーカとマイクロフォンにより入出力するように構成したものである。
【０００８】
これにより、会議通話中の通話路上の音声伝達の方向を切り換えるための分配回路を用いずに会議通話中に任意の会議参加者との１対１の通話を可能にすることができる。
【発明の効果】
【０００９】
以上のように本発明の交換機システムは、会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００１０】
特に会議通話中の音声は電話機のスピーカから出力し会議通話へのマイクロフォンからの入力音声は遮断し１対１の通話の音声は電話機のハンドセットにより入出力するため会議内容を背景音のように聞きながら１対１の通話は通常の電話をするように行うことができる。
【発明を実施するための最良の形態】
【００１１】
本発明は、交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のスピーカから出力し会議通話へのマイクロフォンからの入力音声は遮断し１対１の通話の音声は電話機のハンドセットにより入出力するように構成した交換機システムである。
【００１２】
これにより会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００１３】
特に会議通話中の音声は電話機のスピーカから出力し会議通話へのマイクロフォンからの入力音声は遮断し１対１の通話の音声は電話機のハンドセットにより入出力するため会議内容を背景音のように聞きながら１対１の通話は通常の電話をするように行うことができる。
【００１４】
また本発明は、交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のハンドセットの受話口から出力し会議通話へのハンドセットの送話口からの入力音声は遮断し１対１の通話の音声は電話機のスピーカとマイクロフォンにより入出力するように構成した交換機システムである。
【００１５】
これにより会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００１６】
特に会議通話中の音声は電話機のハンドセットの受話口から出力し会議通話へのハンドセットの送話口からの入力音声は遮断し１対１の通話の音声は電話機のスピーカとマイクロフォンにより入出力するため会議内容をハンドセットで確実に聞きながら１対１の通話は目の前の相手と話をするように行うことができる。さらにハンドセットの送話口を手で押さえるなどすれば会議通話への入力であるハンドセットの送話口からの入力音声をシステム的に遮断しない使い方も十分可能であるためシステム的に音声を遮断するかどうかを利用者に選択させるというような仕様に多様性を与えることもできる。
【００１７】
また本発明は、会議通話中に１対１の通話を行う場合に用いられる複数のチャネルを持つ電話機であって、この電話機のスピーカとマイクロフォンによる音声の入出力を行う第１の音声処理部とハンドセットによる音声の入出力を行う第２の音声処理部と前記２つの音声処理部を制御する電話機制御部とを備え、前記交換機からの指示により前記電話機制御部が前記第１の音声処理部の入力を遮断するように構成した請求項１記載の交換機システムである。
【００１８】
これにより会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００１９】
特に会議通話中の音声は電話機のスピーカから出力し会議通話へのマイクロフォンからの入力音声は遮断し１対１の通話の音声は電話機のハンドセットにより入出力するため会議内容を背景音のように聞きながら１対１の通話は通常の電話をするように行うことができる。
【００２０】
また本発明は、会議通話中に１対１の通話を行う場合に用いられる複数のチャネルを持つ電話機であって、この電話機のスピーカとマイクロフォンによる音声の入出力を行う第１の音声処理部とハンドセットによる音声の入出力を行う第２の音声処理部と前記２つの音声処理部を制御する電話機制御部とを備え、前記交換機からの指示により前記電話機制御部が前記第２の音声処理部の入力を遮断するように構成した請求項２記載の交換機システムである。
【００２１】
これにより会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００２２】
特に会議通話中の音声は電話機のハンドセットの受話口から出力し会議通話へのハンドセットの送話口からの入力音声は遮断し１対１の通話の音声は電話機のスピーカとマイクロフォンにより入出力するため会議内容をハンドセットで確実に聞きながら１対１の通話は目の前の相手と話をするように行うことができる。さらにハンドセットの送話口を手で押さえるなどすれば会議通話への入力であるハンドセットの送話口からの入力音声をシステム的に遮断しない使い方も十分可能であるためシステム的に音声を遮断するかどうかを利用者に選択させるというような仕様に多様性を与えることもできる。
【００２３】
また本発明は、交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のスピーカから出力し会議通話へのマイクロフォンからの入力音声は遮断し１対１の通話の音声は電話機のハンドセットにより入出力するように構成した交換機システムの制御方法である。
【００２４】
これにより会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００２５】
特に会議通話中の音声は電話機のスピーカから出力し会議通話へのマイクロフォンからの入力音声は遮断し１対１の通話の音声は電話機のハンドセットにより入出力するため会議内容を背景音のように聞きながら１対１の通話は通常の電話をするように行うことができる。
【００２６】
また本発明は、交換機とこの交換機につながる複数のチャネルを持つ複数の電話機とからなる会議通話が可能な交換機システムにおいて、前記交換機が、会議通話中の任意の２つの電話機間に１対１の通話のための通話路を形成するように制御する制御手段を備え、会議通話中に１対１の通話を行う場合に、会議通話中の通話路上の音声伝達の方向には何ら変更を加えずに、会議通話中の音声は電話機のハンドセットの受話口から出力し会議通話へのハンドセットの送話口からの入力音声は遮断し１対１の通話の音声は電話機のスピーカとマイクロフォンにより入出力するように構成した交換機システムの制御方法である。
【００２７】
これにより会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００２８】
特に会議通話中の音声は電話機のハンドセットの受話口から出力し会議通話へのハンドセットの送話口からの入力音声は遮断し１対１の通話の音声は電話機のスピーカとマイクロフォンにより入出力するため会議内容をハンドセットで確実に聞きながら１対１の通話は目の前の相手と話をするように行うことができる。さらにハンドセットの送話口を手で押さえるなどすれば会議通話への入力であるハンドセットの送話口からの入力音声をシステム的に遮断しない使い方も十分可能であるためシステム的に音声を遮断するかどうかを利用者に選択させるというような仕様に多様性を与えることもできる。
【実施例】
【００２９】
以下、本発明の実施の形態に係る交換機システムについて図面を用いて説明する。
【００３０】
（実施の形態１）
本発明の実施の形態１に係る交換機システムの構成を図１と図２に基づいて説明する。図１は本発明の実施の形態１に係る交換機システムの構成を説明する図である。図２は図１の電話機の構成を説明する図である。
【００３１】
図１に示すように交換機システムにおいて、交換機１は回線インタフェース２を介して公衆網と接続されている。また交換機１には内線電話機としての電話機６Ａ〜６Ｅが内線インタフェース５Ａ〜５Ｅにより接続されている。通話路スイッチ３は回線インタフェース２や内線インタフェース５Ａ〜５Ｅを通る伝送データをそれぞれの相手先に伝送するためのタイムスイッチである。通話路スイッチ３には会議通話を行うときに音声情報の合成を行うための一般に知られた会議回路３１を含めて図示している。
【００３２】
制御部４はこれらを制御することで交換機１全体の制御を行い、制御手段４１は会議通話中の任意の２つの電話機間に１対１の通話のための通話路を形成するように内線インタフェース５Ａ〜５Ｅや通話路スイッチ３の制御を行う通話路制御手段である。
【００３３】
交換機１と、電話機６Ａ〜６Ｅとは、電話線で６４Ｋｂｐｓの伝送速度を持ち音声データの通信に用いられる２本の情報チャネル（以下、Ｂチャネル。区別が必要な場合にはＢ１チャネルとＢ２チャネル）と、発信先電話番号を通知する制御データなどの通信に用いられる１本の信号チャネル（以下、Ｄチャネル）との２Ｂ＋Ｄで接続される。
【００３４】
内線インタフェース５Ａ〜５Ｅは、上述したように電話機６Ａ〜６Ｅと電話線で接続され、２Ｂ＋Ｄで通信する。
【００３５】
次に、本発明の実施の形態１に係る交換機システムに用いられる電話機６Ａ〜６Ｅの構成について電話機６Ａを代表として示した図２に基づいて説明する。電話機６Ａは、交換機１と接続する内線インタフェース部６１と、スピーカ６３１とマイクロフォン６３２とによる音声の入出力を行う第１の音声処理部６３と、受話器であるハンドセット６４１による音声の入出力を行う第２の音声処理部６４と、ダイヤル入力やボタン入力を行う入力部６５と、ＬＣＤやＬＥＤへの表示を行う表示部６６と、設定などを格納する記憶部６７と、それらを制御する電話機制御部６２とを備えている。
【００３６】
通常でもハンドセット６４１の他にスピーカ６３１とマイクロフォン６３２を備えるがこれは、ハンドセット６４１で通話しないでハンズフリーで通話したい場合や、ハンドセット６４１で通話中の内容を周りの人にも聞かせる場合などにスピーカ６３１とマイクロフォン６３２に切り換えて使っている。
【００３７】
内線インタフェース部６１は、交換機１と電話線で接続され、交換機１の内線インタフェース５Ａと２Ｂ＋Ｄで通信する。
【００３８】
電話機制御部６２は、内線インタフェース部６１を経由して交換機１から受信した制御データの内容および入力部６５による入力の内容により、第１の音声処理部６３や第２の音声処理部６４を制御してハンドセット６４１やマイクロフォン６３２からの音声データの入力を遮断する制御も行う。
【００３９】
以上のように構成される本発明の実施の形態１に係る交換機システムの動作いいかえれば交換機システムの制御方法を図１と図２を参照しながら図３の交換機システムのシーケンスチャートに基づいて説明する。
【００４０】
なお会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合を説明するためここでは電話機６Ａ〜電話機６Ｅが交換機１が備える会議通話機能によりＢ１チャネルを用いて会議通話を行っている時に電話機６Ａと電話機６Ｂとが１対１の通話を行う場合の一例を示す。
【００４１】
交換機システムの電話機６Ａ〜電話機６Ｅが交換機１が備える会議通話機能により通話路スイッチ３の会議回路３１の下でＢ１チャネルを用いて会議通話を行っている場合に、電話機６Ａを使用している会議通話参加者が１対１の通話要求の特番と１対１の通話相手となる電話機６Ｂの電話番号を押下するとそれらの情報は電話機６Ａの入力部６５から電話機制御部６２に送られＤチャネル上の制御データとして電話機６Ａから交換機１に内線インタフェース部６１を介して送信される（ステップＳ３−１）。
【００４２】
ここで特番とはダイヤルする番号に対して例えば保留要求などの機能の要求を割り付けたものでありユーザーの利便性を上げるものとして一般的な交換機でも備えている。
【００４３】
交換機１の制御部４は電話機６Ａからの制御データを内線インタフェース５Ａを介して受け取ると、その制御データを解析し特番が会議通話中の１対１通話への移行要求の特番であるかどうかを判断して、１対１通話への移行要求の特番であれば制御手段４１にその制御を移し、制御手段４１はその制御データ内の電話番号に対応する電話機６Ｂに対して１対１の通話用に設定したボタン点滅の要求をＤチャネル上の制御データとして電話機６Ｂに送信する（ステップＳ３−２）。
【００４４】
これらのデータ送受信の際には交換機１の内線インタフェース５Ｂや電話機６Ａもしくは６Ｂの内線インタフェース部６１を介しているが重複するので以降は省略して説明する。
【００４５】
電話機６Ｂの電話機制御部６２はその制御データに従い表示部６６により所定のボタンを点滅させる（ステップＳ３−３）。ボタンの点滅動作やボタン押下の入力動作は一般的な交換機システムが備える機能である。
【００４６】
電話機６Ｂにおいて点滅中の所定のボタンが押下されるとその情報は入力部６５から電話機制御部６２に送られＤチャネル上の制御データとして電話機６Ｂから交換機１に送信される（ステップＳ３−４）。
【００４７】
交換機１の制御手段４１は電話機６Ｂから制御データを受け取ると、その制御データを解析し点滅中の所定のボタン押下通知であるかどうかを判断して、点滅中の所定のボタン押下通知であれば電話機６Ａと電話機６Ｂとの間に現在の会議通話の通話路とは別の１対１の通話のための通話路を通話路スイッチ３から取得する（ステップＳ３−５）。
【００４８】
制御手段４１は１対１の通話開始要求をＤチャネル上の制御データとして電話機６Ａに送信する（ステップＳ３−６）。
【００４９】
電話機６Ａの電話機制御部６２はその制御データに従い第２の音声処理部６４によりＢ２チャネルをハンドセット６４１に接続する（ステップＳ３−７）。
【００５０】
このとき、もし会議通話をハンドセット６４１で行っていたならば会議通話中のＢ１チャネルを第１の音声処理部６３によりスピーカ６３１とマイクロフォン６３２に接続した後に第２の音声処理部６４によりＢ２チャネルをハンドセット６４１に接続する。そして会議通話への音声入力を遮断するため電話機６ＡはＢ１チャネルを第１の音声処理部６３によりマイクロフォン６３２から接続解除する。
【００５１】
なお、電話機６Ａを使用している会議通話参加者がボタン操作により会議通話への音声入力を遮断あるいは再接続できるようにしてもよい。
【００５２】
電話機６Ａの電話機制御部６２は１対１の通話開始応答の制御データをＤチャネル上の制御データとして交換機１に送信する（ステップＳ３−８）。
【００５３】
交換機１の制御手段４１は電話機６Ａから１対１の通話開始応答の制御データを受け取ると、今度は電話機６Ｂに１対１の通話開始要求の制御データをＤチャネル上の制御データとして送信する（ステップＳ３−９）。
【００５４】
電話機６Ｂの電話機制御部６２は交換機１から１対１の通話開始要求の制御データを受け取ると、Ｂ２チャネルをハンドセット６４１に接続する（ステップＳ３−１０）。
【００５５】
このとき、もし会議通話をハンドセット６４１で行っていたならばステップＳ３−７以下で説明した内容と同じように処理を行う。また会議通話への音声を遮断するため同様にステップＳ３−７以下で説明した内容と同じように処理を行う。
【００５６】
電話機６Ｂの電話機制御部６２は１対１の通話開始応答の制御データをＤチャネル上の制御データとして交換機１に送信する（ステップＳ３−１１）。
【００５７】
交換機１の制御手段４１は電話機６Ｂから１対１の通話開始応答の制御データを受け取ると、Ｂ２チャネルに１対１の通話路を接続する（ステップＳ３−１２）。
【００５８】
上記に示したように交換機１が備える通話路スイッチ３の会議回路３１には触ることなく会議通話中に１対１の通話を実現できる。
【００５９】
このように、会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００６０】
特に会議通話中の音声は電話機のスピーカから出力し会議通話へのマイクロフォンからの入力音声は遮断し１対１の通話の音声は電話機のハンドセットにより入出力するため会議内容を背景音のように聞きながら１対１の通話は通常の電話をするように行うことができる。
【００６１】
（実施の形態２）
本発明の実施の形態２に係る交換機システムの構成は、実施の形態１に係る交換機システムの構成に示した図１と図２と同様であるため、以下本発明の実施の形態２に係る交換機システムの動作いいかえれば交換機システムの制御方法を図１と図２を参照しながら図４の実施の形態２に係る交換機システムのシーケンスチャートに基づいて説明する。
【００６２】
なおここでも実施の形態１に係る交換機システムと同様会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合を説明するためここでは電話機６Ａ〜電話機６Ｅが交換機１が備える会議通話機能によりＢ１チャネルを用いて会議通話を行っている時に電話機６Ａと電話機６Ｂとが１対１の通話を行う場合の一例を示す。
【００６３】
ステップＳ４−１からステップＳ４−６までは実施の形態１に係る交換機システムの説明のステップＳ３−１からステップＳ３−６までと全く同様であるが省略するとわかり辛くなる部分は省略はせずに記述している。
【００６４】
交換機システムの電話機６Ａ〜電話機６Ｅが交換機１が備える会議通話機能により通話路スイッチ３の会議回路３１の下でＢ１チャネルを用いて会議通話を行っている場合に、電話機６Ａを使用している会議通話参加者が１対１の通話要求の特番と１対１の通話相手となる電話機６Ｂの電話番号を押下するとそれらの情報は電話機６Ａの入力部６５から電話機制御部６２に送られＤチャネル上の制御データとして電話機６Ａから交換機１に内線インタフェース部６１を介して送信される（ステップＳ４−１）。
【００６５】
交換機１の制御部４は電話機６Ａからの制御データを内線インタフェース５Ａを介して受け取ると、その制御データを解析し特番が会議通話中の１対１通話への移行要求の特番であるかどうかを判断して、１対１通話への移行要求の特番であれば制御手段４１にその制御を移し、制御手段４１はその制御データ内の電話番号に対応する電話機６Ｂに対して１対１の通話用に設定したボタン点滅の要求をＤチャネル上の制御データとして電話機６Ｂに送信する（ステップＳ４−２）。
【００６６】
電話機６Ｂの電話機制御部６２はその制御データに従い表示部６６により所定のボタンを点滅させる（ステップＳ４−３）。
【００６７】
電話機６Ｂにおいて点滅中の所定のボタンが押下されるとその情報は入力部６５から電話機制御部６２に送られＤチャネル上の制御データとして電話機６Ｂから交換機１に送信される（ステップＳ４−４）。
【００６８】
交換機１の制御手段４１は電話機６Ｂから制御データを受け取ると、その制御データを解析し点滅中の所定のボタン押下通知であるかどうかを判断して、点滅中の所定のボタン押下通知であれば電話機６Ａと電話機６Ｂとの間に現在の会議通話の通話路とは別の１対１の通話のための通話路を通話路スイッチ３から取得する（ステップＳ４−５）。
【００６９】
制御手段４１は１対１の通話開始要求をＤチャネル上の制御データとして電話機６Ａに送信する（ステップＳ４−６）。
【００７０】
電話機６Ａの電話機制御部６２はその制御データに従い第１の音声処理部６３によりＢ２チャネルをスピーカ６３１とマイクロフォン６３２に接続する（ステップＳ４−７）。
【００７１】
このとき、もし会議通話をスピーカ６３１とマイクロフォン６３２で行っていたならば会議通話中のＢ１チャネルを第２の音声処理部６４によりハンドセット６４１に接続した後に第１の音声処理部６３によりＢ２チャネルをスピーカ６３１とマイクロフォン６３２に接続する。そして会議通話への音声入力を遮断するため電話機６ＡはＢ１チャネルを第２の音声処理部６４によりハンドセット６４１の入力の接続を解除する。
【００７２】
なお、電話機６Ａを使用している会議通話参加者がボタン操作により会議通話への音声入力を遮断あるいは再接続できるようにしてもよい。
【００７３】
電話機６Ａの電話機制御部６２は１対１の通話開始応答の制御データをＤチャネル上の制御データとして交換機１に送信する（ステップＳ４−８）。
【００７４】
交換機１の制御手段４１は電話機６Ａから１対１の通話開始応答の制御データを受け取ると、今度は電話機６Ｂに１対１の通話開始要求の制御データをＤチャネル上の制御データとして送信する（ステップＳ４−９）。
【００７５】
電話機６Ｂの電話機制御部６２は交換機１から１対１の通話開始要求の制御データを受け取ると、Ｂ２チャネルをスピーカ６３１とマイクロフォン６３２に接続する（ステップＳ４−１０）。このとき、もし会議通話をスピーカ６３１とマイクロフォン６３２で行っていたならばステップＳ４−７以下で説明した内容と同じように処理を行う。また会議通話への音声を遮断するため同様にステップＳ４−７以下で説明した内容と同じように処理を行う。
【００７６】
電話機６Ｂの電話機制御部６２は１対１の通話開始応答の制御データをＤチャネル上の制御データとして交換機１に送信する（ステップＳ４−１１）。
【００７７】
交換機１の制御手段４１は電話機６Ｂから１対１の通話開始応答の制御データを受け取ると、Ｂ２チャネルに１対１の通話路を接続する（ステップＳ４−１２）。
【００７８】
上記に示したように交換機１が備える通話路スイッチ３の会議回路３１には触ることなく会議通話中に１対１の通話を実現できる。
【００７９】
このように、会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性が向上する。
【００８０】
特に会議通話中の音声は電話機のハンドセットの受話口から出力し会議通話へのハンドセットの送話口からの入力音声は遮断し１対１の通話の音声は電話機のスピーカとマイクロフォンにより入出力するため会議内容をハンドセットで確実に聞きながら１対１の通話は目の前の相手と話をするように行うことができる。
【００８１】
さらにハンドセットの送話口を手で押さえるなどすれば会議通話への入力であるハンドセットの送話口からの入力音声をシステム的に遮断しない使い方も十分可能であるためシステム的に音声を遮断するかどうかを利用者に選択させるというような仕様に多様性を与えることもできる。
【産業上の利用可能性】
【００８２】
以上のように本発明は、会議通話中に他の会議参加者には聞かれずにある会議参加者とだけ１対１通話をしたいといった会議通話の内容はそのまま聞こえるようにかつ１対１通話の内容は漏れないようにしてある会議参加者と通話する場合に、交換機システム内に会議通話中の通話路上の音声伝達の方向を切り換えるための分配回路が不要となるため、従来から動作していた通話路スイッチや会議回路の通話路制御の基本処理を複雑にしてしまうという問題を解消でき交換機システムの信頼性を高めた交換機システムとして有用である。
【図面の簡単な説明】
【００８３】
【図１】本発明の実施の形態１に係る交換機システムの構成を説明する図
【図２】図１の電話機の構成を説明する図
【図３】交換機システムの動作についてのシーケンスチャート
【図４】実施の形態２に係る交換機システムの動作についてのシーケンスチャート
【図５】従来の交換機システムの構成を説明する図
【符号の説明】
【００８４】
１    交換機
２    回線インタフェース
３    通話路スイッチ
３１    会議回路
４    制御部
４１    制御手段
５Ａ〜５Ｃ    内線インタフェース
６Ａ〜６Ｃ    電話機
６１    内線インタフェース部
６２    電話機制御部
６３    第１の音声処理部
６３１    スピーカ
６３２    マイクロフォン
６４    第２の音声処理部
６４１    ハンドセット
６５    入力部
６６    表示部
６７    記憶部
【図１】
2006180009.tif 000003
【図２】
2006180009.tif 000004
【図３】
2006180009.tif 000005
【図４】
2006180009.tif 000006
【図５】
2006180009.tif 000007